(57)【要約】  空気調和システム（１）は、建物（１０）内に設置された空調装置（２０Ａ，２０Ｂ）と、換気装置（３０Ａ，３０Ｂ）と、センサ群（４０）と、操作端末（５０）と、コントローラ（６０）と、を備える。コントローラ（６０）は、空調装置（２０Ａ，２０Ｂ）や換気装置（３０Ａ，３０Ｂ）の運転の制御や監視を行う。また、コントローラ（６０）は、空調装置（２０Ａ，２０Ｂ）のメンテナンス運転時に換気装置（３０Ａ，３０Ｂ）が運転するように制御する。
2017017804.tif 000002
【特許請求の範囲】
【請求項１】
空調対象空間内の空気調和を行う空調装置と、
前記空調対象空間内を換気する換気装置と、
前記空調装置のメンテナンス運転時に前記換気装置が運転するように制御する換気制御部と、
を備える空気調和システム。
【請求項２】
前記換気制御部は、前記空調装置がメンテナンス運転を開始してから予め定めた時間が経過したあと、前記換気装置が運転するように制御する、
請求項１に記載の空気調和システム。
【請求項３】
前記換気制御部は、前記空調装置がメンテナンス運転を停止してから予め定めた時間が経過したあと、前記換気装置が停止するように制御する、
請求項１又は２に記載の空気調和システム。
【請求項４】
前記換気制御部は、前記空調装置がメンテナンスモード以外の運転モードで運転を開始してから予め定めた時間前記換気装置が運転するように制御する、
請求項１から３の何れか１項に記載の空気調和システム。
【請求項５】
前期換気制御部は、前記空調装置がメンテナンスモード以外の運転モードで運転している間、前記換気装置が間欠的に運転するように制御する、
請求項１から４の何れか１項に記載の空気調和システム。
【請求項６】
ユーザが前記空調対象空間内に不在のときにメンテナンスモードで運転するように前記空調装置を制御する空調制御部を備える、
請求項１から５の何れか１項に記載の空気調和システム。
【請求項７】
前記換気制御部は、ユーザが前記空調対象空間内に不在のときに、ユーザが存在する時よりも換気量が増大するように前記換気装置の運転を制御する、
請求項１から６の何れか１項に記載の空気調和システム。
【請求項８】
前記換気制御部は、前記空調対象空間内の不快空気の不快の度合いに応じて、前記換気装置を制御する、
請求項１から７の何れか１項に記載の空気調和システム。
【請求項９】
前記空調装置の運転に関する情報と、前記運転をトリガとして前記換気制御部によって動作した換気装置の運転に関する情報と、を対応付けて表示する表示部、
を備える請求項１から８の何れか１項に記載の空気調和システム。
【請求項１０】
通信ネットワークを介して、空調装置と換気装置とに接続されたコントローラであって、
前記空調装置のメンテナンス運転時に前記換気装置が運転するように制御する換気制御部を備える、
コントローラ。
【請求項１１】
通信ネットワークを介して、空調装置と換気装置とに接続されたコンピュータを、
前記空調装置のメンテナンス運転時に前記換気装置が運転するように制御する換気制御手段、
として機能させるプログラム。
【発明の詳細な説明】
【技術分野】
【０００１】
本発明は、空調対象空間内の空気調和を行う空気調和システム、コントローラ、及びプログラムに関する。
【背景技術】
【０００２】
エアコン内部の熱交換器等に付着した水分はカビや悪臭の原因となる。そのため、冷房運転停止後等にエアコンをメンテナンスモードで運転（メンテナンス運転）して熱交換器に付着した水滴を蒸発させることにより、このようなカビや悪臭の発生を防止するエアコンが知られている。【０００３】
また、特許文献１には、エアコンに対して運転を停止させる操作がなされた際に、メンテナンス運転の内容とメンテナンス運転の運転時間とをリモコンに表示する空気調和機について記載されている。
【先行技術文献】
【特許文献】
【０００４】
【特許文献１】特開２０１２−１４９８５５号公報
【発明の概要】
【発明が解決しようとする課題】
【０００５】
メンテナンス運転を行うと、エアコンが設置された部屋を加湿してしまうため、ユーザの快適性を損ねてしまう虞がある。【０００６】
本発明は上記実情に鑑みてなされたものであり、メンテナンス運転時のユーザの快適性を向上させることができる空気調和システム等を提供することを目的とする。
【課題を解決するための手段】
【０００７】
上記目的を達成するため、本発明の空気調和システムは、
空調対象空間内の空気調和を行う空調装置と、
前記空調対象空間内を換気する換気装置と、
前記空調装置のメンテナンス運転時に前記換気装置が運転するように制御する換気制御部と、
を備える。
【発明の効果】
【０００８】
本発明によれば、空調装置のメンテナンス運転時に換気装置が運転するように制御されるため、メンテナンス運転中に部屋を不必要に加湿してしまうのを防ぐことができる。従って、メンテナンス運転時のユーザの快適性を向上させることができる。
【図面の簡単な説明】
【０００９】
【図１】本発明の実施形態に係る空気調和システムの構成を示す図である。
【図２】空調装置や換気装置が設置された建物のレイアウトを示す図である。
【図３】空調装置の構成を示す図である。
【図４】コントローラのブロック図である。
【図５】換気制御処理の動作を説明するためのフローチャートである。
【図６】処理結果画面の例を示す図である。
【図７】他の実施形態に係る換気制御処理の動作を説明するためのフローチャートである。
【図８】制御テーブルの構成例を示す図である。
【図９】他の実施形態に係る空気調和システムの構成を示す図である。
【発明を実施するための形態】
【００１０】
以下、本発明の各実施形態について、図面を参照しながら詳細に説明する。なお、図中同一または相当部分には同一符号を付す。
【００１１】
本発明の実施形態に係る空気調和システム１について説明する。空気調和システム１は、空調対象空間の空調を行うためのシステムである。なお、ここでいう「空調」とは、空調対象空間を暖房、冷房、除湿、加湿、及び清浄化等する行為を含む。図１に示すように、空気調和システム１は、建物１０内に設置された空調装置２０（２０Ａ，２０Ｂ）と、換気装置３０（３０Ａ，３０Ｂ）と、センサ群４０と、操作端末５０と、コントローラ６０と、を備える。なお、コントローラ６０と、空調装置２０、換気装置３０、センサ群４０、及び操作端末５０は、ＬＡＮ（Local Area Network）等の宅内ネットワークＮ１を介して通信可能に接続されている。
【００１２】
空調装置２０は、例えば、エアコンであり、空調対象空間を空調する機能を有する。空調装置２０は、複数の運転モードを有しており、現在設定されている運転モードに対応した種類の空調を行う。例えば、空調装置２０は、熱交換器を加熱させて付着した水分を蒸発させるメンテナンスモード、冷房運転する冷房モード、暖房運転する暖房モード、送風運転する送風モード、及び除湿運転する除湿モード等の運転モードを有している。
【００１３】
なお、図２に示すように、建物１０の１階部分は、ＬＤＫ（リビング・ダイニング・キッチン）１１と、個室１２と、洗面所１３と、浴室１４と、トイレ１５と、を有している。空調装置２０Ａは、ＬＤＫ１１の壁に設置されている。空調装置２０Ｂは、その空調対象空間である個室１２の壁に設置されている。空調装置２０ＡはＬＤＫ１１内の空気を吸込み、空調処理（冷房、暖房、除湿、加湿等）した空気をＬＤＫ１１内に吹き出すことによりＬＤＫ１１内を空調する。空調装置２０Ｂはその空調対象空間である個室１２内の空気を吸込み、空調処理した空気を個室１２内に吹き出すことにより個室１２内を空調する。
【００１４】
ここで、空調装置２０の構成について説明する。空調装置２０は、図３に示すように、室内機２１と、室外機２２と、リモコン２３と、を備える。
【００１５】
室内機２１は、建物１０内の部屋（ＬＤＫ１１と個室１２）の壁に設置され、室内機２１より吹き出される冷風、温風により部屋の冷暖房を行う。また、空調装置２０は、蒸気圧縮式ヒートポンプを搭載しており、室内機２１と室外機２２との間は、冷媒が流れる冷媒配管２４と通信線２５とを介して接続されている。
【００１６】
室内機２１には、室内熱交換器２１Ａが搭載されている。室外機２２には、圧縮機２２Ａ、室外熱交換器２２Ｂ、膨張弁２２Ｃ、及び四方弁２２Ｄが搭載されている。これらの機器を環状に冷媒配管２４で接続することにより、冷凍サイクルが形成される。
【００１７】
また、室内機２１には室内熱交換器２１Ａを経由した空気を建物１０内に吹き出す室内送風機２１Ｂ、室内機２１の各部の動作を制御する室内機制御部２１Ｃ、吸込空気の温度を計測する温度センサ２１Ｄ、建物１０内の温度を計測する赤外線センサ２１Ｅ等が搭載されている。また、室外機２２には、外気の吸い込み、吹き出しを行う室外送風機２２Ｅ、及び室外機２２の各部を制御する室外機制御部２２Ｆが搭載される。
【００１８】
リモコン２３は、複数のボタン等を備える。リモコン２３は、ユーザによって操作され、操作に応じた制御コマンドを室内機制御部２１Ｃに送信する。室内機制御部２１Ｃは、受信した制御コマンドに応じた処理を実行する。例えば、リモコン２３から冷房開始コマンドを受信すると、室内機制御部２１Ｃは、各部を制御して冷房運転を開始する。
【００１９】
ここで、空調装置２０の各運転モード時の動作について説明する。例えば、空調装置２０が冷房モードや除湿モードで動作する場合、室外機制御部２２Ｆ及び室内機制御部２１Ｃの制御により、圧縮機２２Ａから吐出された冷媒は四方弁２２Ｄを通過して室外熱交換器２２Ｂへと流れる。室外熱交換器２２Ｂに流入した冷媒は空気と熱交換して凝縮液化し、膨張弁２２Ｃへと流れる。冷媒は膨張弁２２Ｃで減圧された後、室内熱交換器２１Ａへと流れる。そして、室内熱交換器２１Ａに流入した冷媒は空気と熱交換して蒸発した後、四方弁２２Ｄを通過して再び圧縮機２２Ａに吸入される。
【００２０】
従って、室内熱交換器２１Ａの配管内には低圧低温の冷媒が流れ、室内熱交換器２１Ａの表面は低温になり、そこを通過する空気が冷やされる。そして、室内機制御部２１Ｃの制御の下、室内送風機２１Ｂは室内熱交換器２１Ａを通過する冷気を送風して、冷房や除湿が行われる。なお、この際、室内熱交換器２１Ａの表面には空気から奪った水滴が付着し、不快空気発生の原因となる。
【００２１】
また、空調装置２０が送風モードで動作する場合は、室内機制御部２１Ｃの制御により室内送風機２１Ｂのみが動作して送風を行う。この場合、圧縮機２２Ａは動作しないため、室内熱交換器２１Ａを通過する空気の温度は変化しない。
【００２２】
また、空調装置２０が暖房モードで動作する場合は、室外機制御部２２Ｆ及び室内機制御部２１Ｃの制御により、圧縮機２２Ａから吐出された冷媒は四方弁２２Ｄを通過して室内熱交換器２１Ａへと流れる。室内熱交換器２１Ａに流入した冷媒は空気と熱交換して凝縮液化し、膨張弁２２Ｃへと流れる。冷媒は膨張弁２２Ｃで減圧された後、室外熱交換器２２Ｂへと流れる。そして、室外熱交換器２２Ｂに流入した冷媒は空気と熱交換して蒸発した後、四方弁２２Ｄを通過して再び圧縮機２２Ａに吸入される。
【００２３】
従って、室内熱交換器２１Ａの配管内には高圧高温の冷媒が流れ、室内熱交換器２１Ａの表面は高温になり、そこを通過する空気を熱せられる。そして、室内機制御部２１Ｃの制御の下、室内送風機２１Ｂが室内熱交換器２１Ａを通過する高熱の空気を送風することにより暖房が行われる。
【００２４】
また、空調装置２０がメンテナンスモードで動作する場合は、室外機制御部２２Ｆ及び室内機制御部２１Ｃの制御により、空調装置２０は暖房運転あるいは送風運転される。これにより、冷房運転や除湿運転で室内熱交換器２１Ａの表面に付着した水滴が蒸発して、カビなどの繁殖を防止する。なお、冷房運転や除湿運転が停止した際に、空調装置２０は、自動的にメンテナンス運転を実行してもよい。なお、メンテナンス運転時には、湿った空気が吹き出されるため、室内を加湿してしまう虞がある。
【００２５】
図１に戻り、換気装置３０は、レンジフード、浴室用換気扇、トイレ用換気扇、居室用換気扇等であり、室内の空気と外気を入れ換える（換気する）。
【００２６】
また、図２に示すように、換気装置３０Ａは、ＬＤＫ１１の壁に設置されている。また、ＬＤＫ１１の壁には給気口１６Ａが設けられている。換気装置３０Ａは、ＬＤＫ１１内の空気を外に排出する。また、この空気の排出により、ＬＤＫ１１内が外に比べて負圧となるため、給気口１６Ａから外の空気が供給され、ＬＤＫ１１内は換気される。
【００２７】
また、図２に示すように、換気装置３０Ｂは、浴室１４の壁に設置されている。また、個室１２の壁には給気口１６Ｂが設けられている。換気装置３０Ｂは、浴室１４から空気を外に排出する。また、この空気の排出により、住宅全体が外に比べて負圧となるため、給気口１６Ａと給気口１６Ｂから外の空気が供給され、住宅全体は換気される。
【００２８】
図１に戻り、センサ群４０は、建物１０内に設置された温度センサ、湿度センサ、人感センサ、臭気センサ、粉塵センサ等のセンサであり、各種の情報を検知し、検知結果を随時コントローラ６０に送信する。なお、図２に示すように、空調装置２０Ａ，２０Ｂが設置されているＬＤＫ１１と個室１２とに、センサ群４０は設置されている。また、空調装置２０が備える温度センサ２１Ｄや赤外線センサ２１Ｅを、センサ群４０の一部としてもよい。
【００２９】
図１に戻り、操作端末５０は、例えば、専用リモコン、タブレット端末、スマートフォン、壁付モニター、携帯電話、テレビ、ＰＣ（Personal Computer）である。操作端末５０は、タッチパネル等を備え、空調装置２０を操作するための操作信号をコントローラ６０に送信したり、各種の状態を表示したりするために使用される。また、操作端末５０は、ユーザの予定を入力するためにも使用され、入力された予定は、コントローラ６０に送信されて、スケジュールデータとして登録される。なお、このスケジュールデータは、各ユーザの外出時間や、各部屋の滞在時間等の情報を含む。また、操作端末５０は、後述する換気制御処理において、空調装置２０の運転に関する情報と、この空調装置２０の運転をトリガとして動作した換気装置３０の運転に関する情報と、を対応付けて表示する本発明の表示部として機能する。
【００３０】
コントローラ６０は、空調装置２０や換気装置３０の運転の制御や監視を行うコンピュータである。コントローラ６０は、図４に示すように、通信部６１と、記憶部６２と、制御部６３と、を備える。
【００３１】
通信部６１は、例えば、ＮＩＣ（Network Interface Card）等の通信インタフェースを備える。通信部６１は、制御部６３の制御の下、宅内ネットワークＮ１を介して、空調装置２０、換気装置３０、操作端末５０、及びセンサ群４０とデータ通信を行う。
【００３２】
記憶部６２は、いわゆる二次記憶装置（補助記憶装置）としての役割を担い、フラッシュメモリ等の読み書き可能な不揮発性の半導体メモリ等を備える。例えば、記憶部６２には、ユーザの建物１０の各部屋の在室、不在の予定を示すスケジュールデータや、空調装置２０や換気装置３０の種類や名称、建物１０内での設置場所等を示すデータや、建物１０の間取り等を表すデータが格納されている。また、記憶部６２には、センサ群４０が検知した最新の情報が逐次記憶される。また、記憶部６２には、後述する換気制御処理で連動して動作させる空調装置２０と換気装置３０との組を規定するデータが記憶されている。具体的には、記憶部６２には、空調装置２０Ａと換気装置３０Ａの組、及び空調装置２０Ｂと換気装置３０Ｂの組を規定するデータが記憶されている。
【００３３】
制御部６３は、ＣＰＵ（Central Processing Unit）、ＲＯＭ（Read Only Memory）、ＲＡＭ（Random Access Memory）等（何れも図示せず）を備え、ＣＰＵが、ＲＡＭをワークメモリとして用い、ＲＯＭや記憶部６２に記憶されている各種プログラムを適宜実行することにより、上述した各部を制御する。また、制御部６３は、本発明に係る機能的な構成として、空調制御部６３１と、換気制御部６３２と、を備える。
【００３４】
空調制御部６３１は、空調装置２０の運転を制御する。例えば、空調制御部６３１は、操作端末５０から空調装置２０の操作を指示された際に、その指示に応じた操作コマンドを作成して空調装置２０に送信することにより、空調装置２０を制御する。
【００３５】
換気制御部６３２は、換気装置３０の運転を制御する。例えば、換気制御部６３２は、操作端末５０から換気装置３０の操作を指示された際に、その指示に応じた操作コマンドを作成して換気装置３０に送信することにより、換気装置３０を制御する。また、換気制御部６３２は、空調装置２０の運転に連動して換気装置３０の運転を制御する。
【００３６】
続いて、空調装置２０の運転が開始された際に、コントローラ６０が運転モードに応じて換気装置３０の運転を制御する換気制御処理について説明する。
【００３７】
予めスケジュールされているタイミング、又は、操作端末５０からの運転開始の指示を受信した場合に、コントローラ６０の空調制御部６３１は、特定の運転モードで運転を開始することを指示する運転開始コマンドを空調装置２０に送信する。空調装置２０は、運転開始コマンドで指示された運転モードで運転を開始した後、運転開始通知をコントローラ６０に送信する。コントローラ６０の換気制御部６３２は、空調装置２０から運転開始通知を受信すると、図５のフローチャートに示す換気制御処理を実行する。なお、空調装置２０のリモコン２３からの制御コマンドにより空調装置２０の運転が開始され、その旨がコントローラ６０に通知された場合にも、換気制御処理を実行してもよい。
【００３８】
まず、換気制御部６３２は、受信した運転開始通知を参照して、空調装置２０で開始された運転の運転モードがメンテナンスモードであるか否かを判別する（ステップＳ１０１）。
【００３９】
メンテナンスモードである場合（ステップＳ１０１；Ｙｅｓ）、換気制御部６３２は、空調装置２０が運転している間、その空調装置２０と連動して運転するように関連づけられている換気装置３０を運転させる。即ち、換気制御部６３２は、その換気装置３０に運転開始を指示する運転開始コマンドを送信し、換気装置３０の運転を開始させる（ステップＳ１０２）。そして、換気制御部６３２は、空調装置２０の運転が停止されるまで待機し（ステップＳ１０３；Ｎｏ）、空調装置２０の運転が停止した場合に（ステップＳ１０３；Ｙｅｓ）、換気装置３０の運転停止を指示する運転停止コマンドを送信し、換気装置３０の運転を停止させる（ステップＳ１０４）。
【００４０】
続いて、換気制御部６３２は、今回の換気制御処理の開始のトリガとなった空調装置２０の運転に関する情報と、この空調装置２０の運転に連動して動作した換気装置３０の運転に関する情報と、を対応付けて表示する処理結果画面の画面データを作成し、操作端末５０に送信して表示させ（ステップＳ１０５）、換気制御処理は終了する。なお、換気制御部６３２は、操作端末５０以外のユーザのＰＣやスマートフォン等に処理結果画面を表示させてもよい。
【００４１】
ここで、処理結果画面の表示例を図６に示す。この画面から、ＬＤＫ１１に設置された空調装置２０Ａのメンテナンス運転に連動して、そのメンテナンス運転の間、ＬＤＫ１１に設置された換気装置３０Ａが動作したことがわかる。
【００４２】
図５に戻り、一方、メンテナンスモード以外の冷房モードや暖房モード等の運転モードで空調装置２０の運転が開始された場合（ステップＳ１０１；Ｎｏ）、換気制御部６３２は、予め定めた時間、運転が開始された空調装置２０と連動して運転するように関連づけられている換気装置３０を運転させる。即ち、換気制御部６３２は、換気装置３０に運転開始コマンドを送信して運転を開始させる（ステップＳ１０６）。そして、換気制御部６３２は、予め定めた時間（例えば、１０分間）が経過するまで待機し（ステップＳ１０７；Ｎｏ）、時間が経過した場合（ステップＳ１０７；Ｙｅｓ）、換気装置３０に運転停止コマンドを送信して運転を停止させる（ステップＳ１０４）。そして、上述した処理結果画面を表示して（ステップＳ１０５）、換気制御処理は終了する。
【００４３】
このように、本実施形態によれば、コントローラ６０は、メンテナンス運転時に換気装置３０が運転するように制御する。そのため、メンテナンス運転によって部屋を不必要に加湿してしまうことを防止することができる。よって、メンテナンス運転時のユーザの快適性を向上させることができる。また、換気装置３０は空調装置２０の運転に連動して制御されるため、ユーザが換気装置３０を操作する手間を省くことができる。
【００４４】
また、本実施形態によれば、メンテナンス運転以外の冷房運転、暖房運転等が開始された場合には、運転開始から予め定めた時間だけ、換気装置３０による換気が行われる。そのため、空調装置２０の運転開始直後に発生する虞のある不快空気を排気することができる。また、運転開始から予め定めた時間だけ換気装置３０が運転されるため、換気装置３０の運転（排気）によって空調装置２０の冷房運転や暖房運転の効率が低下してしまうことを防ぐことも可能となる。
【００４５】
（変形例）
なお、本発明は、上記実施形態に限定されず、本発明の要旨を逸脱しない部分での種々の修正は勿論可能である。
【００４６】
例えば、上記実施形態では、空調装置２０のメンテナンス運転の開始時及び停止時に、即時に換気装置３０の運転を開始、停止させたが、予め定めた時間（例えば、５分）が経過した後、換気装置３０の運転を開始、停止させてもよい。また、メンテナンスモード開始時に空調装置２０から吹き出す空気の温度をセンサ群４０や、空調装置２０の備える温度センサ２１Ｄや赤外線センサ等２１Ｅから判別し、閾値以上の温度の場合のみ、換気装置３０の運転を開始させてもよい。
【００４７】
例えば、センサ群４０の検知結果から不快空気の発生の有無を判別できる場合には、その判別結果も考慮に入れて換気制御処理を実行してもよい。図７は、不快空気の発生の有無も考慮に入れた換気制御処理のフローチャートの一例を示す図である。なお、以下の説明では、図５に示す換気制御処理と同じステップについては同じ参照符号を付し、適宜説明を簡略化する。
【００４８】
換気制御処理が開始されると、換気制御部６３２は、運転が開始された空調装置２０の運転モードを判別し（ステップＳ１０１）、メンテナンスモードの場合（ステップＳ１０１；Ｙｅｓ）、図５に示すフローチャートと同様に、その運転の間中、換気装置３０を運転させる（ステップＳ１０２〜１０５）。
【００４９】
一方、空調装置２０の運転モードがメンテナンスモード以外の場合（ステップＳ１０１；Ｎｏ）、換気制御部６３２は、センサ群４０の検知結果を基に、その空調装置２０から不快空気が発生しているか否かを判別する（ステップＳ１０８）。例えば、換気制御部６３２は、センサ群４０が検知した空気の粉塵レベルや臭気レベルが閾値以上である場合に、不快空気が発生していると判別すればよい。
【００５０】
不快空気が発生していないと判別した場合（ステップＳ１０８；Ｎｏ）、換気を行う必要は無く、換気制御処理は終了する。一方、不快空気が発生していると判別した場合（ステップＳ１０８；Ｙｅｓ）、換気制御部６３２は、図５に示すフローチャートと同様に、予め定めた時間、運転が開始された空調装置２０と同じ部屋に設置されている換気装置３０を運転させる（ステップＳ１０６、Ｓ１０７、Ｓ１０４、Ｓ１０５）。
【００５１】
このように、不快空気の発生の有無も考慮に入れて換気制御処理を行うことで、メンテナンスモード以外の運転モードで空調装置２０の運転が開始したときに不快空気が発生していない場合は、換気装置３０を運転させないように制御することができる。そのため、電気代を節約することが可能となる。なお、センサ群４０の検知結果から不快空気の不快の度合い（不快度）を細かく判別できる場合、換気制御部６３２は、不快度が大きい程、換気装置３０をより長い時間運転するように制御したり、より大きな風量で運転するように制御したりしてもよい。
【００５２】
また、上記実施形態では、空調装置２０の運転モードがメンテナンスモードかそれ以外の運転モードであるかを判別し、判別結果に応じて２種類の換気装置３０の制御を実施した。しかしながら、運転モードに応じて、より細かく換気装置３０を制御してもよい。例えば、換気制御部６３２は、図８に示す制御テーブルを記憶部６２に格納しておき、この制御テーブルに従って換気制御処理を実行してもよい。
【００５３】
即ち、この制御テーブルを参照して、換気制御部６３２は、空調装置２０でメンテナンス運転が行われている場合、その運転の間、風力「強」で運転するように、換気装置３０を制御（運転中制御）する。これにより、メンテナンス運転時の不快をより防止することができる。
【００５４】
また、この制御テーブルを参照して、換気制御部６３２は、空調装置２０で暖房運転や冷房運転が行われている場合、その運転の開始から一定時間、風力「中」で運転するように換気装置３０を制御（開始時制御）する。また、換気制御部６３２は、その後、一定時間毎（例えば、１時間毎）に、予め定めた時間（例えば、５分間）、風力「中」で運転するように換気装置３０を制御（間欠制御）する。これにより、空調装置２０の運転開始時に発生する虞のある不快空気を除去できるだけでなく、冷房運転や暖房運転をしている間の部屋の定期的な換気も自動的に行うことが可能となる。
【００５５】
また、この制御テーブルを参照して、換気制御部６３２は、空調装置２０で除湿運転又は送風運転が開始された場合、その運転の開始から一定時間、風力「中」又は「小」で運転するように換気装置３０を制御（開始時制御）する。これにより、空調装置２０の運転開始時に発生する虞のある不快空気を除去することができる。
【００５６】
なお、上述した制御テーブルは、ユーザが操作端末５０を操作することにより、自由に編集できるようにしてもよい。
【００５７】
また、コントローラ６０は、ユーザの部屋の存在、不在に応じて、異なる制御を実行してもよい。例えば、コントローラ６０の空調制御部６３１は、人感センサ等のセンサ群４０の検知結果や、記憶部６２に記憶されているユーザのスケジュールデータを参照する等して、ＬＤＫ１１や個室１２のユーザの不在を判別する。そして、空調制御部６３１は、ユーザの不在時にメンテナンスモードで運転するように、空調装置２０を制御してもよい。このような制御を行うことで、メンテナンス運転を自動で実行させることができるため、ユーザの操作の手間を軽減することが可能となる。また、ユーザの不在時にメンテナンス運転が行われるため、ユーザの快適性をより向上させることができる。
【００５８】
また、コントローラ６０の換気制御部６３２は、上述した換気制御処理において、ユーザが不在である場合は、ユーザが存在する時よりも大きな換気量（風量）で運転するように換気装置３０を制御してもよい。このような制御を行うことで、ユーザが不在時には、騒音に関係無く大きな風量で効率よく換気を行うことが可能となる。
【００５９】
また、上記実施形態では、空調装置２０がエアコンである場合について説明したが、本発明の空調装置２０はエアコンに限定されない。例えば、複数の運転モードを有する床暖房システム、輻射式冷暖房システム、除湿器、加湿器、及び空気清浄機等にも本発明は適用可能である。
【００６０】
また、上記の実施形態では、コントローラ６０が建物１０内に配置された場合について説明したが、コントローラ６０を建物１０外に配置してもよい。例えば、インターネットＮ２上のサーバ７０をコントローラ６０として機能させてもよい。
【００６１】
例えば、図９に示すように、建物１０内には、コントローラ６０の代わりに、ルータ８０が配置されている。一方、建物１０外のインターネットＮ２上には、上述したコントローラ６０として機能させるサーバ７０が配置されている。この場合、ルータ８０とサーバ７０とが協業してコントローラ６０の役割を果たす。
【００６２】
また、例えば、本実施形態に係るコントローラ６０の動作を規定する動作プログラムを既存のパーソナルコンピュータや情報端末機器等に適用することで、当該パーソナルコンピュータ等を本発明に係るコントローラ６０として機能させることも可能である。
【００６３】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００６４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００６５】
本発明は、ＨＥＭＳ（Home Energy Management System）などのシステムに好適に採用され得る。
【符号の説明】
【００６６】
１  空気調和システム、１０  建物、１１  ＬＤＫ（リビング・ダイニング・キッチン）、１２  個室、１３  洗面所、１４  浴室、１５  トイレ、１６Ａ，１６Ｂ  給気口、２０，２０Ａ，２０Ｂ  空調装置、２１  室内機、２１Ａ  室内熱交換器、２１Ｂ  室内送風機、２１Ｃ  室内機制御部、２１Ｄ  温度センサ、２１Ｅ  赤外線センサ、２２  室外機、２２Ａ  圧縮機、２２Ｂ  室外熱交換器、２２Ｃ  膨張弁、２２Ｄ  四方弁、２２Ｅ  室外送風機、２２Ｆ  室外機制御部、２３  リモコン、２４  冷媒配管、２５  通信線、３０，３０Ａ，３０Ｂ  換気装置、４０  センサ群、５０  操作端末、６０  コントローラ、６１  通信部、６２  記憶部、６３  制御部、６３１  空調制御部、６３２  換気制御部、７０  サーバ、８０  ルータ、Ｎ１  宅内ネットワーク、Ｎ２  インターネット
【図１】
2017017804.tif 000003
【図２】
2017017804.tif 000004
【図３】
2017017804.tif 000005
【図４】
2017017804.tif 000006
【図５】
2017017804.tif 000007
【図６】
2017017804.tif 000008
【図７】
2017017804.tif 000009
【図８】
2017017804.tif 000010
【図９】
2017017804.tif 000011
【手続補正書】
【提出日】平成29年6月13日(2017.6.13)
【手続補正１】
【補正対象書類名】明細書
【補正対象項目名】０００７
【補正方法】変更
【補正の内容】
【０００７】
上記目的を達成するため、本発明の空気調和システムは、
空調対象空間内の空気調和を行う空調装置と、
前記空調対象空間内を換気する換気装置と、
前記空調装置でメンテナンス運転が開始された場合は、該メンテナンス運転中に前記換気装置が連続的に運転するように制御し、暖房運転又は冷房運転が開始された場合は、該運転中に前記換気装置が間欠的に運転するように制御する換気制御部と、
を備える。
【手続補正２】
【補正対象書類名】特許請求の範囲
【補正対象項目名】全文
【補正方法】変更
【補正の内容】
【特許請求の範囲】
【請求項１】
空調対象空間内の空気調和を行う空調装置と、
前記空調対象空間内を換気する換気装置と、
前記空調装置でメンテナンス運転が開始された場合は、該メンテナンス運転中に前記換気装置が連続的に運転するように制御し、暖房運転又は冷房運転が開始された場合は、該運転中に前記換気装置が間欠的に運転するように制御する換気制御部と、
を備える空気調和システム。
【請求項２】
前記換気制御部は、前記空調装置がメンテナンス運転を開始してから予め定めた時間が経過したあと、前記換気装置が運転するように制御する、
請求項１に記載の空気調和システム。
【請求項３】
前記換気制御部は、前記空調装置がメンテナンス運転を停止してから予め定めた時間が経過したあと、前記換気装置が停止するように制御する、
請求項１又は２に記載の空気調和システム。
【請求項４】
前記換気制御部は、前記空調装置で除湿運転又は送風運転が開始された場合は、該運転が開始されてから予め定めた時間前記換気装置が運転するように制御する、
請求項１から３の何れか１項に記載の空気調和システム。
【請求項５】
ユーザが前記空調対象空間内に不在のときにメンテナンスモードで運転するように前記空調装置を制御する空調制御部を備える、
請求項１から４の何れか１項に記載の空気調和システム。
【請求項６】
前記換気制御部は、ユーザが前記空調対象空間内に不在のときに、ユーザが存在する時よりも換気量が増大するように前記換気装置の運転を制御する、
請求項１から５の何れか１項に記載の空気調和システム。
【請求項７】
前記換気制御部は、前記空調対象空間内の不快空気の不快の度合いに応じて、前記換気装置を制御する、
請求項１から６の何れか１項に記載の空気調和システム。
【請求項８】
前記空調装置の運転に関する情報と、前記運転に連動して前記換気装置が動作した旨を示す情報と、前記換気装置の運転に関する情報と、を対応付けて表示する表示部、
を備える請求項１から７の何れか１項に記載の空気調和システム。
【請求項９】
通信ネットワークを介して、空調装置と換気装置とに接続されたコントローラであって、
前記空調装置でメンテナンス運転が開始された場合は、該メンテナンス運転中に前記換気装置が連続的に運転するように制御し、暖房運転又は冷房運転が開始された場合は、該運転中に前記換気装置が間欠的に運転するように制御する換気制御部を備える、
コントローラ。
【請求項１０】
通信ネットワークを介して、空調装置と換気装置とに接続されたコンピュータを、
前記空調装置でメンテナンス運転が開始された場合は、該メンテナンス運転中に前記換気装置が連続的に運転するように制御し、暖房運転又は冷房運転が開始された場合は、該運転中に前記換気装置が間欠的に運転するように制御する換気制御手段、
として機能させるプログラム。
【国際調査報告】
2017017804.tif 000012
2017017804.tif 000013
2017017804.tif 000014
2017017804.tif 000015